(57)【特許請求の範囲】
【請求項１】
中空形状をなして内部の床面に放射性物質を配置可能であると共に少なくとも側壁及び天井が放射線遮蔽機能を有する建屋と、
前記建屋における側壁上部に設けられる吸気口と、
前記建屋における天井の中央部に設けられる排気口と、
前記床面に配置される前記放射性物質と前記排気口とを結ぶ領域に設けられる遮蔽板と、
を備え、
前記側壁は、互いに対向する第１、第２側壁を有し、
前記建屋は、中間部をあけて前記第１、第２側壁に隣接する前記床面に第１、第２放射性物質配置領域が設けられ、
前記遮蔽板は、前記第１放射性物質配置領域に配置される前記放射性物質と前記排気口とを結ぶ領域に設けられる第１遮蔽板と、前記第２放射性物質配置領域に配置される前記放射性物質と前記排気口とを結ぶ領域に設けられる第２遮蔽板とを有する、
ことを特徴とする放射性物質の貯蔵施設。
【請求項２】
前記第１、第２遮蔽板は、それぞれ上下に分割された上部遮蔽板と下部遮蔽板から構成されることを特徴とする請求項１に記載の放射性物質の貯蔵施設。
【請求項３】
第１、第２放射性物質配置領域との間に前記放射性物質が配置されない非放射性物質配置領域が設けられ、前記非放射性物質配置領域と前記排気口とを結ぶように冷却空気通路が設けられることを特徴とする請求項１または２に記載の放射性物質の貯蔵施設。
【請求項４】
前記第１、第２側壁の上部にそれぞれ第１、第２吸気口が設けられると共に、前記第１、第２吸気口と前記建屋の床面側とを連通する第１、第２吸気ダクトが設けられることを特徴とする請求項１から３のいずれか一項に記載の放射性物質の貯蔵施設。
【請求項５】
中空形状をなして内部の床面に放射性物質を配置可能であると共に少なくとも側壁及び天井が放射線遮蔽機能を有する建屋と、
前記建屋における側壁上部に設けられる吸気口と、
前記建屋における天井の中央部に設けられる排気口と、
前記床面に配置される前記放射性物質と前記排気口とを結ぶ領域に設けられる遮蔽板と、
を備え、
前記建屋の床面に前記吸気口側に対して前記排気口側が高くなって前記放射性物質を配置可能な段部が設けられることを特徴とする放射性物質の貯蔵施設。
【発明の詳細な説明】
【技術分野】
【０００１】
本発明は、燃焼を終えた使用済核燃料などの放射性物質を貯蔵する放射性物質の貯蔵施設に関するものである。
【背景技術】
【０００２】
原子力発電プラントの一つとして、例えば、加圧水型原子炉があり、この加圧水型原子炉では、軽水を原子炉冷却材及び中性子減速材として使用し、一次系全体にわたって沸騰しない高温高圧水とし、この高温高圧水を蒸気発生器に送って熱交換により蒸気を発生させ、この蒸気をタービン発電機へ送って発電している。
【０００３】
核燃料サイクルの終期にあって、燃焼を終えて使用できなくなった核燃料集合体（使用済核燃料）は、高放射性物質を含むために熱的に冷却する必要があることから、原子力発電プラントに設けられている冷却プールで所定期間にわたって冷却される。その後、使用済核燃料が冷却されて所定の温度以下になると、放射性物質収納容器であるキャスクに収納され、トラック等で放射性物質の貯蔵施設に搬送され、長期間にわたって冷却貯蔵される。
【０００４】
このような放射性物質の貯蔵施設としては、例えば、下記特許文献に記載されたものがある。特許文献１に記載された放射性廃棄物の貯蔵庫は、保管建屋内に複数の被貯蔵物を配置可能とし、外周部に外気取り入れ口を形成すると共に、上部に排気口を設けたものである。また、特許文献２に記載されたキャスク貯蔵設備は、塔屋内に複数のキャスクを配置可能とし、外周下部に外気取入口を形成すると共に、外周上部に天井開口を形成し、キャスクの上方に上部遮蔽壁を配置したものである。また、特許文献３に記載されたキャスク貯蔵施設は、貯蔵室内に複数のキャスクを配置可能とし、外周上部に吸気口と排気口を形成し、吸気口と貯蔵室内を吸気ダクトにより接続したものである。
【先行技術文献】
【特許文献】
【０００５】
【特許文献１】実公平０７−０４９４４０号公報
【特許文献２】特公平０４−４４９５８号公報
【特許文献３】特許第３８８１５４５号公報
【発明の概要】
【発明が解決しようとする課題】
【０００６】
キャスクは、胴本体の外周部に中性子遮蔽体を設けることで、放射線の漏洩を防止しているものの、微量の放射線が出ており、放射性物質の貯蔵施設は、複数のキャスクを冷却しながら貯蔵するだけでなく、この貯蔵中に放射線が施設の外部に漏洩しないように工夫する必要がある。上述した従来の放射性物質の貯蔵施設にあっては、キャスクから放射線が吸気口や排気口から出ないようにその位置が工夫されているが、それにより内部を流れる空気の循環が不十分となり、キャスクの冷却効率が低下してしまうという問題がある。
【０００７】
本発明は上述した課題を解決するものであり、放射性物質から外部へ直線的に漏洩する放射線を適正に防止すると共に放射性物質を能率的に冷却可能とする放射性物質の貯蔵施設を提供することを目的とする。
【課題を解決するための手段】
【０００８】
上記の目的を達成するための本発明の放射性物質の貯蔵施設は、中空形状をなして内部の床面に放射性物質を配置可能であると共に少なくとも側壁及び天井が放射線遮蔽機能を有する建屋と、前記建屋における側壁上部に設けられる吸気口と、前記建屋における天井の中央部に設けられる排気口と、前記床面に配置される前記放射性物質と前記排気口とを結ぶ領域に設けられる遮蔽板と、を備えることを特徴とするものである。
【０００９】
従って、床面に配置される放射性物質と排気口とを結ぶ領域に遮蔽板が設けられることで、放射性物質から出る放射線が遮蔽板により遮蔽されることで、放射性物質から排気口を通って外部へ直線的に漏洩する放射線を適正に防止することができ、また、側壁上部に吸気口を設ける一方、天井の中央部に排気口を設けることで、吸気口から入り込んだ外気が建屋内部の放射性物質を冷却した後に排気口から排出されることとなり、外気の通路に放射性物質が配置されることで、放射性物質を能率的に冷却することができる。
【００１０】
本発明の放射性物質の貯蔵施設では、前記側壁は、互いに対向する第１、第２側壁を有し、前記第１、第２側壁の上部にそれぞれ第１、第２吸気口が設けられると共に、前記第１、第２吸気口と前記建屋の床面側とを連通する第１、第２吸気ダクトが設けられることを特徴としている。
【００１１】
従って、第１、第２側壁の上部に設けられた第１、第２吸気口と建屋の床面側とが吸気ダクトにより連通されることで、第１、第２吸気口から入り込んだ外気は、第１、第２吸気ダクトを通って建屋の床面に流れ、ここに配置された放射性物質を確実に冷却した後に排気口から排出されることとなり、放射性物質の冷却効率を向上することができる。
【００１２】
本発明の放射性物質の貯蔵施設では、前記建屋は、中間部をあけて前記第１、第２側壁に隣接する前記床面に第１、第２放射性物質配置領域が設けられることを特徴としている。
【００１３】
従って、中間部をあけて第１、第２側壁に第１、第２放射性物質配置領域を設けることで、各放射性物質配置領域の放射性物質を効率的に配置して放射性物質の冷却効率を向上することができる。
【００１４】
本発明の放射性物質の貯蔵施設では、前記遮蔽板は、前記第１放射性物質配置領域に配置される前記放射性物質と前記排気口とを結ぶ領域に設けられる第１遮蔽板と、前記第２放射性物質配置領域に配置される前記放射性物質と前記排気口とを結ぶ領域に設けられる第２遮蔽板とを有することを特徴としている。
【００１５】
従って、第１放射性物質配置領域に対応する第１遮蔽板と第２放射性物質配置領域に対応する第２遮蔽板を設けることで、第１、第２遮蔽板の間を空間部として内部の空気を効率的に排気口に導くことができる。
【００１６】
本発明の放射性物質の貯蔵施設では、前記第１、第２遮蔽板は、それぞれ上下に分割された上部遮蔽板と下部遮蔽板から構成されることを特徴としている。
【００１７】
従って、第１、第２遮蔽板を上部遮蔽板と下部遮蔽板に分割することで、遮蔽面積が減少することとなり、製造コストを低減することができる。
【００１８】
本発明の放射性物質の貯蔵施設では、第１、第２放射性物質配置領域との間に前記放射性物質が配置されない非放射性物質配置領域が設けられ、前記非放射性物質配置領域と前記排気口とを結ぶように冷却空気通路が設けられることを特徴としている。
【００１９】
従って、非放射性物質配置領域から排気口に連通する冷却空気通路が設けられることで、放射性物質の近傍の空気を効率的に排気口に導くことができる。
【００２０】
本発明の放射性物質の貯蔵施設では、前記建屋の床面に前記吸気口側に対して前記排気口側が高くなって前記放射性物質を配置可能な段部が設けられることを特徴としている。
【００２１】
従って、放射性物質を配置可能な段部を設けることで、遮蔽面積が減少することとなり、製造コストを低減することができる。
【発明の効果】
【００２２】
本発明の放射性物質の貯蔵施設によれば、建屋における側壁上部に吸気口を設けるとともに、建屋における天井の中央部に排気口を設け、床面に配置される放射性物質と排気口とを結ぶ領域に遮蔽板を設けるので、放射性物質から外部へ直線的に漏洩する放射線を適正に防止することができると共に、放射性物質を能率的に冷却することができる。
【図面の簡単な説明】
【００２３】
【図１】図１は、本発明の実施例１に係る放射性物質の貯蔵施設の内部構造を表す縦断面図である。
【図２】図２は、実施例１の放射性物質の貯蔵施設の内部構造を表す水平断面図である。
【図３】図３は、実施例１の放射性物質の貯蔵施設における冷却空気の流れを表す縦断面図である。
【図４】図４は、実施例１の放射性物質の貯蔵施設を表す斜視図である。
【図５】図５は、本発明の実施例２に係る放射性物質の貯蔵施設の内部構造を表す縦断面図である。
【図６】図６は、本発明の実施例３に係る放射性物質の貯蔵施設の内部構造を表す縦断面図である。
【図７】図７は、実施例３の放射性物質の貯蔵施設における冷却空気の流れを表す縦断面図である。
【図８】図８は、本発明の実施例４に係る放射性物質の貯蔵施設の内部構造を表す縦断面図である。
【発明を実施するための形態】
【００２４】
以下に添付図面を参照して、本発明に係る放射性物質の貯蔵施設の好適な実施例を詳細に説明する。なお、この実施例により本発明が限定されるものではなく、また、実施例が複数ある場合には、各実施例を組み合わせて構成するものも含むものである。
【実施例１】
【００２５】
図１は、本発明の実施例１に係る放射性物質の貯蔵施設の内部構造を表す縦断面図、図２は、実施例１の放射性物質の貯蔵施設の内部構造を表す水平断面図、図３は、実施例１の放射性物質の貯蔵施設における冷却空気の流れを表す縦断面図、図４は、実施例１の放射性物質の貯蔵施設を表す斜視図である。
【００２６】
実施例１の放射性物質の貯蔵施設において、図４に示すように、この貯蔵施設１１は、全体がコンクリート壁によって構成され、設置床１２、天井壁１３、複数の側壁１４を有している。そして、貯蔵施設１１は、設置床１２上に多数のキャスク１０が所定間隔をおいて整列配置されている。この各キャスク１０は、使用済の核燃料の集合体（放射性物質）を収納している。また、貯蔵施設１１は、一側に搬入用ゲート１５を有する搬入用ピット１６が設けられており、キャスク１０は、図示しない運搬車両によりこの搬入用ピット１６から貯蔵施設１１の内部に搬入される。そして、貯蔵施設１１は、上部にキャスク移送用クレーン１７が設けられており、搬入用ピット１６に搬入されたキャスク１０は、このキャスク移送用クレーン１７により移送され、所定の位置に配置される。
【００２７】
貯蔵施設１１について詳細に説明すると、図１及び図２に示すように、建屋２１は、設置床１２の四方に互いに対向する第１、第２側壁１４ａ，１４ｂが設けられると共に、互いに対向する第３、第４側壁１４ｃ，１４ｄが設けられ、各側壁１４ａ，１４ｂ，１４ｃ，１４ｄの上端部に天井壁１３が設けられて構成されている。そして、建屋２１は、中空形状をなし、設置床１２と天井壁１３と側壁１４（１４ａ，１４ｂ，１４ｃ，１４ｄ）が放射線遮蔽機能を有しており、内部、つまり、設置床１２の上面に複数のキャスク１０を配置可能となっている。
【００２８】
また、建屋２１は、第１、第２側壁１４ａ，１４ｂの上部に第１、第２吸気口２２ａ，２２ｂが設けられている。そして、建屋２１は、第１、第２側壁１４ａ，１４ｂの内面側にそれぞれ対向して第１、第２仕切壁２３ａ，２３ｂが設けられている。この第１、第２仕切壁２３ａ，２３ｂは、上端部が天井壁１３に固定される一方、下端部が設置床１２と所定隙間をあけて位置することで、第１、第２吸気ダクト２４ａ，２４ｂが設けられている。この第１、第２吸気ダクト２４ａ，２４ｂは、第１、第２吸気口２２ａ，２２ｂと建屋２１内の設置床１２側とを連通するものである。
【００２９】
建屋２１は、天井壁１３における中央部、つまり、天井壁１３における第１側壁１４ａと第２側壁１４ｂとの中間位置に換気塔２５が上方に突出するように設けられている。この換気塔２５は、建屋２１の内部に連通すると共に、第１、第２側壁１４ａ，１４ｂ側の側壁に第１、第２排気口２６ａ，２６ｂが設けられている。
【００３０】
建屋２１は、設置床１３に、第１側壁１４ａと第２側壁１４ｂとの中間部をあけて第１側壁１４ａに隣接する第１放射性物質配置領域Ａ１と、第２側壁１４ｂに隣接する第２放射性物質配置領域Ａ２が設けられている。そして、この第１放射性物質配置領域Ａ１と第２放射性物質配置領域Ａ２の間に非放射性物質配置領域Ｂが設けられている。この場合、第１、第２放射性物質配置領域Ａ１，Ａ２にキャスク１０が載置されるが、非放射性物質配置領域Ｂにはキャスク１０が載置されない。
【００３１】
そして、建屋２１の内部にて、設置床１２上に配置される複数のキャスク１０と第１、第２排気口２６ａ，２６ｂとを結ぶ領域に遮蔽板２７が配置されている。具体的には、第１、第２放射性物質配置領域Ａ１，Ａ２と第１、第２排気口２６ａ，２６ｂとを結ぶ領域に遮蔽板２７が配置されている。この遮蔽板２７は、各キャスク１０からの放射線が遮断されるようにコンクリート壁により構成され、第３、第４側壁１４ｃ，１４ｄに架設された複数の梁２８に支持されている。
【００３２】
即ち、複数のキャスク１０は、第１、第２放射性物質配置領域Ａ１，Ａ２に配置されており、上方に向けて放射線が出ている。この場合、第１放射性物質配置領域Ａ１の各キャスク１０から第２排気口２６ｂに直線的に向かう領域線Ｌａ１，Ｌａ２に囲まれた放射線領域Ｓａと、第２放射性物質配置領域Ａ２の各キャスク１０から第１排気口２６ａに直線的に向かう領域線Ｌｂ１，Ｌｂ２に囲まれた放射線領域Ｓｂとが形成されるが、この２つの放射線領域Ｓａ，Ｓｂに遮蔽板２７が水平をなして配置されている。
【００３３】
従って、複数のキャスク１０は、第１、第２放射性物質配置領域Ａ１，Ａ２に配置されることで、各キャスク１０から上方に向けて放射線が出ているが、各排気口２６ａ，２６ｂに直線的に向かう放射線は、天井壁１３、側壁１４、換気塔２５などにより遮蔽される。そして、各キャスク１０から各排気口２６ａ，２６ｂに直線的に向かう放射線は、各放射線領域Ｓａ，Ｓｂに配置された遮蔽板２７により遮蔽される。
【００３４】
また、図３に示すように、外気は、第１、第２吸気口２２ａ，２２ｂから取り込まれ、第１、第２ダクト２４ａ，２４ｂを通って下降し、設置床１２上に配置された複数のキャスク１０を冷却する。そして、各キャスク１０を冷却して空気は、遮蔽板２７を迂回するように上昇し、第１、第２排気口２６ａ，２６ｂから外部に排出される。この場合、キャスク１０を冷却して加熱された空気が上昇し、第１、第２排気口２６ａ，２６ｂから外部に排出されることで、建屋２１の内部が負圧となり、外気が第１、第２吸気口２２ａ，２２ｂから吸引されて第１、第２ダクト２４ａ，２４ｂに取り込まれる。
【００３５】
このように実施例１の放射性物質の貯蔵施設にあっては、中空形状をなして内部の設置床１２に複数のキャスク１０を配置可能である建屋２１と、建屋２１における側壁１４の上部に設けられる吸気口２２ａ，２２ｂと、建屋２１における天井壁１３の中央部に設けられる排気口２６ａ，２６ｂと、設置床１２に配置される複数のキャスク１０と排気口２６ａ，２６ｂとを結ぶ領域Ｓａ，Ｓｂに設けられる遮蔽板２７とを設けている。
【００３６】
従って、設置床１２に配置されるキャスク１０と排気口２６ａ，２６ｂとを結ぶ領域Ｓａ，Ｓｂに遮蔽板２７が設けられることで、キャスク１０から出る放射線が遮蔽板２７により遮蔽されることで、キャスク１０から排気口２６ａ，２６ｂを通って外部へ直線的に漏洩する放射線を適正に防止することができる。また、側壁１４の上部に吸気口２２ａ，２２ｂを設ける一方、天井壁１３の中央部に排気口２６ａ，２６ｂを設けることで、吸気口２２ａ，２２ｂから入り込んだ外気が建屋２１の内部の各キャスク１０を冷却した後、排気口２６ａ，２６ｂから排出されることとなり、外気の通路に複数のキャスク１０が配置されることで、この各キャスク１０を能率的に冷却することができる。
【００３７】
また、実施例１の放射性物質の貯蔵施設では、建屋２１を構成する第１、第２側壁１４ａ，１４ｂの上部にそれぞれ第１、第２吸気口２２ａ，２２ｂを設けると共に、第１、第２吸気口２２ａ，２２ｂと設置床１２とを連通する第１、第２吸気ダクト２４ａ，２４ｂを設けている。従って、第１、第２吸気口２２ａ，２２ｂから入り込んだ外気は、第１、第２吸気ダクト２４ａ，２４ｂを通って建屋の設置床１２側に流れ、ここに配置された複数のキャスク１０を確実に冷却した後、排気口２６ａ，２６ｂから排出されることとなり、各キャスク１０の冷却効率を向上することができる。
【００３８】
また、実施例１の放射性物質の貯蔵施設では、建屋２１は、中間部をあけて第１、第２側壁１４ａ，１４ｂに隣接する設置床１２に第１、第２放射性物質配置領域Ａ１，Ａ２を設けている。従って、各放射性物質配置領域Ａ１，Ａ２の各キャスク１０を効率的に配置して冷却効率を向上することができる。
【実施例２】
【００３９】
図５は、本発明の実施例２に係る放射性物質の貯蔵施設の内部構造を表す縦断面図である。なお、上述した実施例と同様の機能を有する部材には、同一の符号を付して詳細な説明は省略する。
【００４０】
実施例２において、図５に示すように、貯蔵施設１１の建屋２１は、設置床１２の四方に設けられる第１、第２側壁１４ａ，１４ｂ及び第３、第４側壁（図示略）の上端部に天井壁１３が設けられて構成されており、設置床１２の上面に複数のキャスク１０を配置可能となっている。そして、建屋２１は、第１、第２側壁１４ａ，１４ｂの上部に第１、第２吸気口２２ａ，２２ｂが設けられると共に、この第１、第２吸気口２２ａ，２２ｂに連通する第１、第２吸気ダクト２４ａ，２４ｂが設けられている。更に、建屋２１は、天井壁１３における第１側壁１４ａと第２側壁１４ｂとの中間位置に換気塔２５が設けられ、この換気塔２５に第１、第２排気口２６ａ，２６ｂが設けられている。
【００４１】
また、建屋２１は、設置床１３に第１放射性物質配置領域Ａ１と第２放射性物質配置領域Ａ２が設けられ、その間に非放射性物質配置領域Ｂが設けられている。そして、建屋２１の内部にて、設置床１２上に配置される複数のキャスク１０と第１、第２排気口２６ａ，２６ｂとを結ぶ領域に複数の遮蔽板３１ａ，３１ｂ，３３ａ，３３ｂが配置されている。具体的には、第１、第２放射性物質配置領域Ａ１，Ａ２と第１、第２排気口２６ａ，２６ｂとを結ぶ領域に複数の遮蔽板３１ａ，３１ｂ，３３ａ，３３ｂが配置されている。この遮蔽板３１ａ，３１ｂ，３３ａ，３３ｂは、各キャスク１０からの放射線が遮断されるようにコンクリート壁により構成され、第３、第４側壁に架設された複数の梁３２ａ，３２ｂ，３４ａ，３４ｂに支持されている。
【００４２】
即ち、複数のキャスク１０は、第１、第２放射性物質配置領域Ａ１，Ａ２に配置されており、上方に向けて放射線が出ている。この場合、第１放射性物質配置領域Ａ１の各キャスク１０から第２排気口２６ｂに直線的に向かう領域線Ｌａ１，Ｌａ２に囲まれた放射線領域Ｓａと、第２放射性物質配置領域Ａ２の各キャスク１０から第１排気口２６ａに直線的に向かう領域線Ｌｂ１，Ｌｂ２に囲まれた放射線領域Ｓｂとが形成されるが、放射線領域Ｓａに対応して第１上部遮蔽板３１ａと第１下部遮蔽板３３ａが水平をなして配置され、放射線領域Ｓｂに対応して第２上部遮蔽板３１ｂと第２下部遮蔽板３３ｂが水平をなして配置されている。
【００４３】
この場合、第１上部遮蔽板３１ａと第１下部遮蔽板３３ａは、第１放射性物質配置領域Ａ１の各キャスク１０から第２排気口２６ｂに直線的に向かう領域線Ｌａ３に交差することで、隙間なく放射線領域Ｓａを遮蔽することができる。また、第２上部遮蔽板３１ｂと第２下部遮蔽板３３ｂは、第２放射性物質配置領域Ａ２の各キャスク１０から第１排気口２６ａに直線的に向かう領域線Ｌｂ３に交差することで、隙間なく放射線領域Ｓｂを遮蔽することができる。また、非放射性物質配置領域Ｂと第１、第２排気口２６ａ，２６ｂとを結ぶように冷却空気通路３５が設けられている。
【００４４】
従って、複数のキャスク１０は、第１、第２放射性物質配置領域Ａ１，Ａ２に配置されることで、各キャスク１０から上方に向けて放射線が出ているが、各排気口２６ａ，２６ｂに直線的に向かう放射線は、天井壁１３、側壁１４、換気塔２５などにより遮蔽される。そして、各キャスク１０から各排気口２６ａ，２６ｂに直線的に向かう放射線は、各放射線領域Ｓａ，Ｓｂに配置された遮蔽板３１ａ，３１ｂ，３３ａ，３３ｂにより遮蔽される。
【００４５】
また、外気は、第１、第２吸気口２２ａ，２２ｂから取り込まれ、第１、第２吸気ダクト２４ａ，２４ｂを通って下降し、設置床１２上に配置された複数のキャスク１０を冷却する。そして、各キャスク１０を冷却して空気は、遮蔽板３１ａ，３１ｂ，３３ａ，３３ｂを迂回するように上昇すると共に、冷却空気通路３５を通って上昇し、第１、第２排気口２６ａ，２６ｂから外部に排出される。
【００４６】
このように実施例２の放射性物質の貯蔵施設にあっては、設置床１２に配置される複数のキャスク１０と排気口２６ａ，２６ｂとを結ぶ領域Ｓａ，Ｓｂに複数の遮蔽板３１ａ，３１ｂ，３３ａ，３３ｂを設けている。
【００４７】
従って、設置床１２に配置されるキャスク１０と排気口２６ａ，２６ｂとを結ぶ領域Ｓａ，Ｓｂに複数の遮蔽板３１ａ，３１ｂ，３３ａ，３３ｂが設けられることで、キャスク１０から出る放射線が遮蔽板３１ａ，３１ｂ，３３ａ，３３ｂにより遮蔽されることで、キャスク１０から排気口２６ａ，２６ｂを通って外部へ直線的に漏洩する放射線を適正に防止することができる。
【００４８】
また、実施例２の放射性物質の貯蔵施設では、第１放射性物質配置領域Ａ１に配置されるキャスク１０と第２排気口２６ｂとを結ぶ領域Ｓａに設けられる第１遮蔽板３１ａ，３３ａと、第２放射性物質配置領域Ａ２に配置されるキャスク１０と第１排気口２６ａとを結ぶ領域Ｓｂに設けられる第２遮蔽板３１ｂ，３３ｂとを設けている。従って、第１遮蔽板３１ａ，３３ａと第２遮蔽板３１ｂ，３３ｂとに分割することで、第１、第２遮蔽板３１ａ，３１ｂ，３３ａ，３３ｂの間を空間部として内部の空気を効率的に第１、第２排気口２６ａ，２６ｂに導くことができる。
【００４９】
また、実施例２の放射性物質の貯蔵施設では、第１上部遮蔽板３１ａ、第１下部遮蔽板３３ａ、第２上部遮蔽板３１ｂ、第２下部遮蔽板３３ｂを設けている。従って、複数の遮蔽板３１ａ，３１ｂ，３３ａ，３３ｂを上下左右にずらして配置することで、放射線領域Ｓａ，Ｓｂを遮蔽する水平方向に沿う遮蔽面積が減少することとなり、製造コストを低減することができる。
【００５０】
また、実施例２の放射性物質の貯蔵施設では、非放射性物質配置領域Ｂと第１、第２排気口２６ａ，２６ｂとを結ぶように冷却空気通路３５を設けている。従って、キャスク１０の近傍の空気を効率的に第１、第２排気口２６ａ，２６ｂに導くことができる。
【実施例３】
【００５１】
図６は、本発明の実施例３に係る放射性物質の貯蔵施設の内部構造を表す縦断面図、図７は、実施例３の放射性物質の貯蔵施設における冷却空気の流れを表す縦断面図である。なお、上述した実施例と同様の機能を有する部材には、同一の符号を付して詳細な説明は省略する。
【００５２】
実施例３において、図６及び図７に示すように、貯蔵施設４１の建屋４２は、設置床４３と、天井壁４４と、四方に設けられる第１、第２側壁４５ａ，４５ｂ及び第３、第４側壁（図示略）とから構成されており、設置床４３に複数のキャスク１０を配置可能となっている。そして、建屋４２は、第１、第２側壁４５ａ，４５ｂの上部に第１、第２吸気口４６ａ，４６ｂが設けられると共に、各仕切壁４７ａ，４７ｂにより第１、第２吸気口４６ａ，４６ｂに連通する第１、第２吸気ダクト４８ａ，４８ｂが設けられている。更に、建屋４２は、天井壁４４における第１側壁４５ａと第２側壁４５ｂとの中間位置に換気塔４９が設けられ、この換気塔４９に第１、第２排気口５０ａ，５０ｂが設けられている。
【００５３】
また、建屋４２は、設置床４３の上面に各吸気口４６ａ，４６ｂ側に対して排気口５０ａ，５０ｂ側が高くなってキャスク１０を配置可能な段部５１（５２ａ，５２ｂ，５３ａ，５３ｂ，５４ａ，５４ｂ，５５）が設けられている。この段部５１は、１段目が設置床４３と同位置であり、２段目５２ａ，５２ｂから５段目５５までほぼ同じ高さで高くなっており、５段目５５は、換気塔４９の下方に位置している。
【００５４】
この場合、段部５１，５２ａ，５３ａ，５４ａ，５５に第１放射性物質配置領域Ａ１に設定され、段部５１，５２ｂ，５３ｂ，５４ｂ，５５に第２放射性物質配置領域Ａ２が設定され、その間に非放射性物質配置領域Ｂが設定されている。そして、建屋４２の内部にて、段部５１上に配置される複数のキャスク１０と第１、第２排気口５０ａ，５０ｂとを結ぶ領域に複数の遮蔽板５６ａ，５６ｂが配置されている。具体的には、第１、第２放射性物質配置領域Ａ１，Ａ２と第１、第２排気口５０ａ，５０ｂとを結ぶ領域に２つの遮蔽板５６ａ，５６ｂが配置されている。この遮蔽板５６ａ，５６ｂは、各キャスク１０からの放射線が遮断されるようにコンクリート壁により構成され、第３、第４側壁に架設された複数の梁５７ａ，５７ｂに支持されている。
【００５５】
即ち、複数のキャスク１０は、第１、第２放射性物質配置領域Ａ１，Ａ２に配置されており、上方に向けて放射線が出ている。この場合、第１放射性物質配置領域Ａ１の各キャスク１０から第２排気口５０ｂに直線的に向かう領域線Ｌａ１，Ｌａ２に囲まれた放射線領域Ｓａと、第２放射性物質配置領域Ａ２の各キャスク１０から第１排気口５０ａに直線的に向かう領域線Ｌｂ１，Ｌｂ２に囲まれた放射線領域Ｓｂとが形成されるが、放射線領域Ｓａに対応して第１上部遮蔽板５６ａが水平をなして配置され、放射線領域Ｓｂに対応して第２上部遮蔽板５６ｂが水平をなして配置されている。また、非放射性物質配置領域Ｂと第１、第２排気口５０ａ，５０ｂとを結ぶように冷却空気通路５８が設けられている。
【００５６】
従って、複数のキャスク１０は、第１、第２放射性物質配置領域Ａ１，Ａ２に配置されることで、各キャスク１０から上方に向けて放射線が出ているが、各排気口５０ａ，５０ｂに直線的に向かう放射線は、天井壁４４、側壁４５、換気塔４９などにより遮蔽される。そして、各キャスク１０から各排気口５０ａ，５０ｂに直線的に向かう放射線は、各放射線領域Ｓａ，Ｓｂに配置された遮蔽板５６ａ，５６ｂにより遮蔽される。
【００５７】
また、外気は、第１、第２吸気口４６ａ，４６ｂから取り込まれ、第１、第２ダクト４８ａ，４８ｂを通って下降し、段部５１に配置された複数のキャスク１０を冷却する。そして、各キャスク１０を冷却して空気は、遮蔽板５６ａ，５６ｂを迂回するように上昇すると共に、冷却空気通路５８を通って上昇し、第１、第２排気口５０ａ，５０ｂから外部に排出される。
【００５８】
このように実施例３の放射性物質の貯蔵施設にあっては、設置床４３の段部５１に配置される複数のキャスク１０と排気口５０ａ，５０ｂとを結ぶ領域Ｓａ，Ｓｂに複数の遮蔽板５６ａ，５６ｂを設けている。
【００５９】
従って、段部５１に配置されるキャスク１０と排気口５０ａ，５０ｂとを結ぶ領域Ｓａ，Ｓｂに複数の遮蔽板５６ａ，５６ｂが設けられることで、キャスク１０から出る放射線が遮蔽板５６ａ，５６ｂにより遮蔽されることで、キャスク１０から排気口５０ａ，５０ｂを通って外部へ直線的に漏洩する放射線を適正に防止することができる。
【００６０】
また、実施例３の放射性物質の貯蔵施設では、建屋４２の設置床４３に吸気口４６ａ，４６ｂ側に対して排気口５０ａ，５０ｂ側が高くなってキャスク１０を配置可能な段部５１を設けている。従って、キャスク１０を上下にずらして配置することで、遮蔽板５６ａ，５６ｂによる放射線の遮蔽面積が減少することとなり、製造コストを低減することができる。
【実施例４】
【００６１】
図８は、本発明の実施例４に係る放射性物質の貯蔵施設の内部構造を表す縦断面図である。なお、上述した実施例と同様の機能を有する部材には、同一の符号を付して詳細な説明は省略する。
【００６２】
実施例４において、図８に示すように、貯蔵施設４１の建屋４２は、設置床４３と、天井壁４４と、第１、第２側壁４５ａ，４５ｂ及び第３、第４側壁（図示略）とから構成されており、設置床４３に複数のキャスク１０を配置可能となっている。そして、建屋４２は、第１、第２側壁４５ａ，４５ｂの上部に第１、第２吸気口４６ａ，４６ｂが設けられると共に、第１、第２吸気口４６ａ，４６ｂに連通する第１、第２吸気ダクト４８ａ，４８ｂが設けられている。更に、建屋４２は、天井壁４４における第１側壁４５ａと第２側壁４５ｂとの中間位置に換気塔４９が設けられ、この換気塔４９に第１、第排気口５０ａ，５０ｂが設けられている。
【００６３】
また、建屋４２は、設置床４３の上面に各吸気口４６ａ，４６ｂ側に対して排気口５０ａ，５０ｂ側が高くなってキャスク１０を配置可能な段部５１（５２ａ，５２ｂ，５３ａ，５３ｂ，５４ａ，５４ｂ，５５）が設けられている。この段部５１は、１段目が設置床４３と同位置であり、２段目５２ａ，５２ｂから５段目５５までほぼ同じ高さで高くなっており、５段目５５は、換気塔４９の下方に位置している。
【００６４】
また、段部５１，５２ａ，５３ａ，５４ａ，５５に第１放射性物質配置領域Ａ１が設定され、段部５１，５２ｂ，５３ｂ，５４ｂ，５５に第２放射性物質配置領域Ａ２が設定され、その間に非放射性物質配置領域Ｂが設定されている。そして、建屋４２の内部にて、段部５１上に配置される複数のキャスク１０と第１、第２排気口５０ａ，５０ｂとを結ぶ領域に複数の遮蔽板６１ａ，６１ｂ，６３ａ，６３ｂが配置されている。具体的には、第１、第２放射性物質配置領域Ａ１，Ａ２と第１、第２排気口５０ａ，５０ｂとを結ぶ領域に複数の遮蔽板６１ａ，６１ｂ，６３ａ，６３ｂが配置されている。この遮蔽板６１ａ，６１ｂ，６３ａ，６３ｂは、各キャスク１０からの放射線が遮断されるようにコンクリート壁により構成され、第３、第４側壁に架設された複数の梁６２ａ，６２ｂ，６４ａ，６４ｂに支持されている。
【００６５】
即ち、複数のキャスク１０は、第１、第２放射性物質配置領域Ａ１，Ａ２に配置されており、上方に向けて放射線が出ている。この場合、第１放射性物質配置領域Ａ１の各キャスク１０から第２排気口５０ｂに直線的に向かう領域線Ｌａ１，Ｌａ２に囲まれた放射線領域Ｓａと、第２放射性物質配置領域Ａ２の各キャスク１０から第１排気口５０ａに直線的に向かう領域線Ｌｂ１，Ｌｂ２に囲まれた放射線領域Ｓｂとが形成されるが、放射線領域Ｓａに対応して第１上部遮蔽板６１ａと第１下部遮蔽板６３ａが水平をなして配置され、放射線領域Ｓｂに対応して第２上部遮蔽板６１ｂと第２下部遮蔽板６３ｂが水平をなして配置されている。
【００６６】
この場合、第１上部遮蔽板６１ａと第１下部遮蔽板６３ａは、第１放射性物質配置領域Ａ１の各キャスク１０から第２排気口５０ｂに直線的に向かう領域線Ｌａ３に交差することで、隙間なく放射線領域Ｓａを遮蔽することができる。また、第２上部遮蔽板６１ｂと第２下部遮蔽板６３ｂは、第２放射性物質配置領域Ａ２の各キャスク１０から第１排気口５０ａに直線的に向かう領域線Ｌｂ３に交差することで、隙間なく放射線領域Ｓｂを遮蔽することができる。また、非放射性物質配置領域Ｂと第１、第２排気口５０ａ，５０ｂとを結ぶように冷却空気通路６５が設けられている。
【００６７】
従って、複数のキャスク１０は、第１、第２放射性物質配置領域Ａ１，Ａ２に配置されることで、各キャスク１０から上方に向けて放射線が出ているが、各排気口５０ａ，５０ｂに直線的に向かう放射線は、天井壁４４、側壁４５、換気塔４９などにより遮蔽される。そして、各キャスク１０から各排気口５０ａ，５０ｂに直線的に向かう放射線は、各放射線領域Ｓａ，Ｓｂに配置された遮蔽板６１ａ，６１ｂ，６３ａ，６３ｂにより遮蔽される。
【００６８】
また、外気は、第１、第２吸気口４６ａ，４６ｂから取り込まれ、第１、第２ダクト４８ａ，４８ｂを通って下降し、段部５１に配置された複数のキャスク１０を冷却する。そして、各キャスク１０を冷却して空気は、遮蔽板６１ａ，６１ｂ，６３ａ，６３ｂを迂回するように上昇すると共に、冷却空気通路６５を通って上昇し、第１、第２排気口５０ａ，５０ｂから外部に排出される。
【００６９】
このように実施例４の放射性物質の貯蔵施設にあっては、設置床４３の段部５１に配置される複数のキャスク１０と排気口５０ａ，５０ｂとを結ぶ領域Ｓａ，Ｓｂに複数の遮蔽板６１ａ，６１ｂ，６３ａ，６３ｂを設けている。
【００７０】
従って、段部５１に配置されるキャスク１０と排気口５０ａ，５０ｂとを結ぶ領域Ｓａ，Ｓｂに複数の遮蔽板６１ａ，６１ｂ，６３ａ，６３ｂが設けられることで、キャスク１０から出る放射線が遮蔽板６１ａ，６１ｂ，６３ａ，６３ｂにより遮蔽されることで、キャスク１０から排気口５０ａ，５０ｂを通って外部へ直線的に漏洩する放射線を適正に防止することができる。
【００７１】
また、実施例４の放射性物質の貯蔵施設では、第１上部遮蔽板６１ａ、第１下部遮蔽板６３ａ、第２上部遮蔽板６１ｂ、第２下部遮蔽板６３ｂを設けている。従って、複数の遮蔽板６１ａ，６１ｂ，６３ａ，６３ｂを上下左右にずらして配置することで、放射線領域Ｓａ，Ｓｂを遮蔽する水平方向に沿う遮蔽面積が減少することとなり、製造コストを低減することができる。
【００７２】
なお、上述した各実施例では、遮蔽板の数を１個、２個、４個としたが、この数に限定されるものではなく、建屋などの大きさや形状に合わせて適宜設定すればよいものである。この場合、遮蔽板を水平に配置するだけでなく、傾斜して配置してもよい。
【００７３】
また、上述した各実施例では、建屋内に第１放射性物質配置領域と第２放射性物質配置領域を設け、その間に非放射性物質配置領域を設けたが、建屋の全域を放射性物質配置領域としてもよく。この場合、実施例２から４では、非放射性物質配置領域にもキャスクを配置することとなることから、既存の遮蔽板を冷却空気通路まで延出したり、冷却空気通路に周辺の遮蔽板に対して上下にずらして別の遮蔽板を配置してもよい。
【符号の説明】
【００７４】
１１，４１  貯蔵施設
１２，４３  設置床
１３，４４  天井壁
１４，１４ａ，１４ｂ，１４ｃ，１４ｄ，４５ａ，４５ｂ  側壁
２１，４２  建屋
２２ａ，２２ｂ，４６ａ，４６ｂ  吸気口
２４ａ，２４ｂ，４８ａ，４８ｂ  吸気ダクト
２６ａ，２６ｂ，５０ａ，５０ｂ  排気口
２７  遮蔽板
３１ａ，６１ａ  第１上部遮蔽板
３１ｂ，６１ｂ  第２上部遮蔽板
３３ａ，６３ａ  第１下部遮蔽板
３３ｂ，６３ｂ  第２下部遮蔽板
５６ａ  第１遮蔽板
５６ｂ  第２遮蔽板
【図１】
0005936365.tif 000002
【図２】
0005936365.tif 000003
【図３】
0005936365.tif 000004
【図４】
0005936365.tif 000005
【図５】
0005936365.tif 000006
【図６】
0005936365.tif 000007
【図７】
0005936365.tif 000008
【図８】
0005936365.tif 000009